(57)【要約】      （修正有）【課題】患者の被ばく線量を精度良く管理できる被ばく線量管理装置を提供する。【解決手段】被ばく線量管理装置１は、放射性医薬品を投与された患者が受ける投与量あたりの実効線量を放射性医薬品の種類ごとに記憶した実効線量データベース２１と、患者に投与される放射性医薬品の種類を含む処方データを受け付ける処方データ受付部１２と、放射性医薬品が投与された患者の実投与量のデータを受け付ける実投与量受付部１５と、放射性医薬品に対応する実効線量のデータを実効線量データベースから読み出し、実効線量のデータと実投与量のデータとに基づいて患者の被ばく線量を計算する被ばく線量計算部１６と、患者の被ばく線量のデータを記録する患者データベース２２とを備える。【選択図】図１
2020035412.tif 000002
【特許請求の範囲】
【請求項１】
放射性医薬品を投与された患者が受ける投与量あたりの実効線量を放射性医薬品の種類ごとに記憶した実効線量データベースと、
患者に投与される放射性医薬品の種類を含む処方データを受け付ける処方データ受付部と、
前記放射性医薬品が投与された患者の実投与量のデータを受け付ける実投与量受付部と、
前記放射性医薬品に対応する実効線量のデータを前記実効線量データベースから読み出し、前記実効線量のデータと前記実投与量のデータとに基づいて前記患者の被ばく線量を計算する被ばく線量計算部と、
を備える被ばく線量管理装置。
【請求項２】
前記処方データは、前記放射性医薬品の検定時刻あたりの放射能量を示す処方量を含み、
当該被ばく線量管理装置は、
前記処方データに従って前記放射性医薬品が患者に投与された投与時刻の入力を受け付ける投与時刻受付部と、
前記処方量および前記投与時刻に基づいて、放射性医薬品の患者への実投与量のデータを計算する実投与量計算部と
を更に含み、
前記実投与量受付部は、前記実投与量計算部が計算した実投与量のデータを受け付ける、
請求項１に記載の被ばく線量管理装置。
【請求項３】
前記処方データ受付部および前記投与時刻受付部は、処方管理システムとネットワークを通じて接続しており、前記処方管理システムから前記処方データおよび前記投与時刻の入力を受け付ける請求項２に記載の被ばく線量管理装置。
【請求項４】
前記投与時刻受付部は、放射性医薬品の投与装置とネットワークを通じて接続しており、前記投与装置から前記投与時刻の入力を受け付ける請求項２に記載の被ばく線量管理装置。
【請求項５】
前記実投与量受付部は、放射性医薬品の投与装置とネットワークを通じて接続しており、前記投与装置から前記実投与量のデータを受け付ける請求項１または２に記載の被ばく線量管理装置。
【請求項６】
前記処方データ受付部は、処方管理システムとネットワークを通じて接続しており、前記処方管理システムから前記処方データを受け付け、
前記投与時刻受付部は、患者の画像の撮像時刻に関するデータを管理する撮像時刻管理システムとネットワークを通じて接続しており、前記撮像時刻管理システムから、撮像時刻に関するデータの入力を受け付け、
前記処方データに含まれる放射性医薬品の種類に基づき、予め記憶された、放射性医薬品の種類に応じて定まる投与時刻から撮像時刻までの経過時間のデータを用いて、入力された撮像時刻に関するデータから放射性医薬品の投与時刻を算出する請求項２に記載の被ばく線量管理装置。
【請求項７】
前記被ばく線量計算部にて計算された前記患者の被ばく線量のデータを出力する出力部を更に備える請求項１乃至６のいずれか一項に記載の被ばく線量管理装置。
【請求項８】
前記実効線量データベースは、安静状態および負荷状態の各々の状態において、放射性医薬品を投与された患者が受ける実効線量を状態別に記憶し、
前記処方データ受付部は、安静状態または負荷状態のいずれかの状態別に対応する処方データを受け付け、
前記実投与量受付部は、前記状態別に前記実投与量を受け付け、
前記被ばく線量計算部は、放射性医薬品の種類および患者の状態に対応する実効線量のデータを前記実効線量データベースから読み出し、前記患者の状態における被ばく線量を計算する、請求項１乃至７のいずれか一項に記載の被ばく線量管理装置。
【請求項９】
前記処方データ受付部は、複数の前記状態別に対応した処方データを受け付け、
前記被ばく線量計算部は、複数の状態における被ばく線量を計算する、請求項８に記載の被ばく線量管理装置。
【請求項１０】
患者が受けた被ばく線量が前回までの被ばく線量に加算して記録する患者データベースを備える請求項１乃至９のいずれか一項に記載の被ばく線量管理装置。
【請求項１１】
被ばく線量管理装置によって患者の被ばく線量を管理する方法であって、
前記被ばく線量管理装置が、患者に投与される放射性医薬品の種類を含む処方データを受け付けるステップと、
前記被ばく線量管理装置が、前記放射性医薬品が投与された患者の実投与量のデータを受け付けるステップと、
前記被ばく線量管理装置が、放射性医薬品を投与された患者が受ける投与量あたりの実効線量を放射性医薬品の種類ごとに記憶した実効線量データベースから、前記放射性医薬品に対応する実効線量のデータを読み出し、前記実効線量のデータと前記実投与量のデータとに基づいて前記患者の被ばく線量を計算するステップと、
を備える被ばく線量管理方法。
【請求項１２】
患者の被ばく線量を管理するためのプログラムであって、コンピュータに、
患者に投与される放射性医薬品の種類を含む処方データを受け付けるステップと、
前記放射性医薬品が投与された患者の実投与量のデータを受け付けるステップと、
放射性医薬品を投与された患者が受ける投与量あたりの実効線量を記憶した実効線量データベースから、前記放射性医薬品に対応する実効線量のデータを読み出し、前記実効線量のデータと前記実投与量のデータとに基づいて前記患者の被ばく線量を計算するステップと、
を実行させるプログラム。
【発明の詳細な説明】
【技術分野】
【０００１】
本発明は、被ばく線量管理装置、被ばく線量管理方法、およびプログラムに関する。
【背景技術】
【０００２】
近年、ＣＴ装置、ＳＰＥＣＴ装置、ＰＥＴ装置といった放射線を用いる検査装置の普及に伴って、医療行為に伴う被ばくへの関心が高まっている（非特許文献１）。ＳＰＥＣＴ装置やＰＥＴ装置などの検査では、放射性医薬品が患者に投与され、放射線医薬品に含まれる放射性同位元素から放出されるガンマ線を検出することによって撮影を行う。このガンマ線による患者の被ばく線量を極力低減し、被ばく障害のリスクを把握する観点から、患者の被ばく線量を管理することが重要である。
【０００３】
特許文献１は、被検体に投与された放射性医薬品による被ばく線量の影響を考慮して被ばく線量管理を行うことができる被ばく線量管理装置を開示している。
【先行技術文献】
【特許文献】
【０００４】
【特許文献１】特開２０１７−６７７０８号公報
【非特許文献】
【０００５】
【非特許文献１】「医療被ばくの適正管理のあり方について」厚生労働省、第４回医療放射線の適切管理に関する検討会、資料１
【発明の概要】
【発明が解決しようとする課題】
【０００６】
特許文献１に記載された被ばく線量管理装置は、被検体の核医学診断画像に基づいて放射性医薬品の集積臓器および集積量を同定し、同定した集積量に基づいて被検体の臓器の被ばく線量を求めている。
【０００７】
しかし、このように核医学診断画像に基づいて放射性医薬品の被ばく線量を求める方法は、患者の体格等に起因して誤差を生じるおそれがあった。核医学診断画像には、患者の体内から放出されて撮像装置に到達したガンマ線の線量が反映されるが、患者の体で吸収されるガンマ線の量は異なるため、同じ量の放射性医薬品を投与した場合であっても、撮像装置に到達するガンマ線の量は異なるからである。
【０００８】
本発明は、上記背景に鑑み、患者の被ばく線量を精度良く管理できる被ばく線量管理装置を提供することを目的とする。
【課題を解決するための手段】
【０００９】
本発明の被ばく線量管理装置は、放射性医薬品を投与された患者が受ける投与量あたりの実効線量を放射性医薬品の種類ごとに記憶した実効線量データベースと、患者に投与される放射性医薬品の種類を含む処方データを受け付ける処方データ受付部と、前記放射性医薬品が投与された患者の実投与量のデータを受け付ける実投与量受付部と、前記放射性医薬品に対応する実効線量のデータを前記実効線量データベースから読み出し、前記実効線量のデータと前記実投与量のデータとに基づいて前記患者の被ばく線量を計算する被ばく線量計算部とを備える。
【００１０】
本発明において「実投与量」とは、患者に実際に投与された投与時刻における放射性医薬品の放射能量である。放射性医薬品は、放射性崩壊を起こすために時間と共に放射能量が減少する。「処方量」は、検定時刻を基準として定められる放射能量である。したがって、実投与量は、処方量より増加または減少する。本発明では、実投与量に基づいて、患者の被ばく線量を求めるので、患者の体格等に左右されることなく、被ばく線量を精度良く求めることができる。
【００１１】
本発明の被ばく線量管理装置において、前記処方データは、前記放射性医薬品の検定時刻あたりの放射能量を示す処方量を含み、当該被ばく線量管理装置は、前記処方データに従って前記放射性医薬品が患者に投与された投与時刻の入力を受け付ける投与時刻受付部と、前記処方量および前記投与時刻に基づいて、放射性医薬品の患者への実投与量のデータを計算する実投与量計算部とを更に含み、前記実投与量受付部は、前記実投与量計算部が計算した実投与量のデータを受け付けてもよい。
【００１２】
本発明の被ばく線量管理装置において、前記処方データ受付部および前記投与時刻受付部は、処方管理システムとネットワークを通じて接続しており、前記処方管理システムから前記処方データおよび前記投与時刻の入力を受け付けてもよい。この構成により、処方管理システムから処方データおよび投与時刻のデータを受け付け、患者の被ばく線量を求めることができる。
【００１３】
本発明の被ばく線量管理装置において、前記投与時刻受付部は、放射性医薬品の投与装置とネットワークを通じて接続しており、前記投与装置から前記投与時刻の入力を受け付けてもよい。この構成により、正確な投与時刻を自動的に入力できる。
【００１４】
本発明の被ばく線量管理装置において、前記実投与量受付部は、放射性医薬品の投与装置とネットワークを通じて接続しており、前記投与装置から前記実投与量のデータを受け付けてもよい。患者に実投与した放射線医薬品の量を管理できる投与装置と連携する場合には、投与装置から放射性医薬品の実投与量のデータを受け付けて患者の被ばく線量を求めることができる。
【００１５】
本発明の被ばく線量管理装置において、前記処方データ受付部は、処方管理システムとネットワークを通じて接続しており、前記処方管理システムから前記処方データを受け付け、前記投与時刻受付部は、患者の画像の撮像時刻に関するデータを管理する撮像時刻管理システムとネットワークを通じて接続しており、前記撮像時刻管理システムから、撮像時刻に関するデータの入力を受け付け、前記処方データに含まれる放射性医薬品の種類に基づき、予め記憶された、放射性医薬品の種類に応じて定まる投与時刻から撮像時刻までの経過時間のデータを用いて、入力された撮像時刻に関するデータから放射性医薬品の投与時刻を算出してもよい。この構成により、放射性薬剤を投与した時刻を手入力しなくても、撮像時刻に関するデータから投与時刻を算出することができる。撮像時刻に関するデータとは、投与時刻から逆算できる撮影中の所定の時刻であれば撮像開始時刻に限定されず、撮像開始から所定の時間が経過した所定の時刻であってもよいし、撮像終了時刻であってもよい。なお、撮像時刻管理システムは、撮像時刻に関するデータを管理するものであればよく、処方管理システムも撮像時刻管理システムに含まれてもよい。
【００１６】
本発明の被ばく線量管理装置は、前記被ばく線量計算部にて計算された前記患者の被ばく線量のデータを出力する出力部を更に備えてもよい。この構成により、患者の被ばく線量のデータを他の病院等で参照することができる。
【００１７】
本発明の被ばく線量管理装置において、実効線量データベースは、安静状態および負荷状態の各々の状態において、放射性医薬品を投与された患者が受ける実効線量を状態別に記憶し、前記処方データ受付部は、安静状態または負荷状態のいずれかの状態別に対応する処方データを受け付け、前記実投与量受付部は、前記状態別に前記実投与量を受け付け、前記被ばく線量計算部は、放射性医薬品の種類および患者の状態に対応する実効線量のデータを前記実効線量データベースから読み出し、前記患者の状態における被ばく線量を計算してもよい。
【００１８】
同じ量の放射性医薬品を投与した場合であっても、放射性医薬品を投与されたときの患者の負荷状態によって被ばく線量が異なることがある。患者の負荷状態を考慮することにより、患者の被ばく量をより精度良く求めることができる。
【００１９】
本発明の被ばく線量管理装置において、前記処方データ受付部は、複数の前記状態別に対応した処方データを受け付け、前記被ばく線量計算部は、複数の状態における被ばく線量を計算してもよい。この構成により、放射性医薬品を投与した後の患者の状態が安静状態と負荷状態の両方の状態をとる場合や安静時に複数回の撮像を行う場合など患者の種々の状態に合わせて、被ばく線量を適切に求めることができる。
【００２０】
本発明の被ばく線量管理装置において、患者が受けた被ばく線量が前回までの被ばく線量に加算して記録する患者データベースを備えてもよい。これにより、患者が受けた被ばく線量の総量を管理することができる。
【００２１】
本発明の被ばく線量管理方法は、被ばく線量管理装置によって患者の被ばく線量を管理する方法であって、前記被ばく線量管理装置が、患者に投与される放射性医薬品の種類を含む処方データを受け付けるステップと、前記被ばく線量管理装置が、前記放射性医薬品が投与された患者の実投与量のデータを受け付けるステップと、前記被ばく線量管理装置が、放射性医薬品を投与された患者が受ける投与量あたりの実効線量を放射性医薬品の種類ごとに記憶したデータベースから、前記放射性医薬品に対応する実効線量のデータを読み出し、前記実効線量のデータと前記実投与量のデータとに基づいて前記患者の被ばく線量を計算するステップとを備える。
【００２２】
本発明のプログラムは、患者の被ばく線量を管理するためのプログラムであって、コンピュータに、患者に投与される放射性医薬品の種類を含む処方データを受け付けるステップと、前記放射性医薬品が投与された患者の実投与量のデータを受け付けるステップと、放射性医薬品を投与された患者が受ける投与量あたりの実効線量を記憶したデータベースから、前記放射性医薬品に対応する実効線量のデータを読み出し、前記実効線量のデータと前記実投与量のデータとに基づいて前記患者の被ばく線量を計算するステップとを実行させる。
【発明の効果】
【００２３】
本発明によれば、患者に実投与した放射線医薬品の量に基づいて、患者の被ばく線量を精度良く求めることができる。
【図面の簡単な説明】
【００２４】
【図１】第１の実施の形態の被ばく線量管理装置の構成を示す図である。
【図２】第１の実施の形態の実効線量ＤＢに記憶されたデータの例を示す図である。
【図３】第１の実施の形態の被ばく線量管理装置の動作を示す図である。
【図４】第１の実施の形態の被ばく線量管理装置の動作を示す図である。
【図５】第２の実施の形態の被ばく線量管理装置の構成を示す図である。
【図６】第２の実施の形態の実効線量ＤＢに記憶されたデータの例を示す図である。
【図７】第２の実施の形態の被ばく線量管理装置の動作を示す図である。
【発明を実施するための形態】
【００２５】
以下、本発明の実施の形態の被ばく線量管理装置について図面を参照して説明する。
（第１の実施の形態）
図１は、第１の実施の形態の被ばく線量管理装置１の構成を示す図である。被ばく線量管理装置１は、ＳＰＥＣＴやＰＥＴの検査により、患者の被ばく線量を管理する装置である。被ばく線量管理装置１は、病院情報システム３０、投与装置３１および放射線情報システム３２とネットワーク４０を介して接続されている。
【００２６】
病院情報システム（Hospital Information System）３０は、病院全体の診療・会計業務の効率化を目指すシステムの総称である。病院情報システム３０は、患者に処方された放射性医薬品の種類および処方量のデータ（以下、これらのデータを総称して「処方データ」という）を有している。処方量とは、検定時刻あたりの放射能量である。また、検定時刻とは、対象となる放射性医薬品の放射能がいつの時点でどれくらいあるかということを示すための基準となる時刻である。放射線情報システム（Radiology Information Systems）３２は、主に放射線機器による検査と、治療の予約から検査結果までの管理を行うシステムである。放射線情報システム３２も処方データを有している。病院情報システム３０および放射線情報システム３２は、「処方管理システム」に相当する。投与装置３１は、ＳＰＥＣＴ装置またはＰＥＴ装置である。本実施の形態において、ＳＰＥＣＴ装置やＰＥＴ装置は、撮像の際に患者に投与した放射性医薬品と実投与量のデータを有している。
【００２７】
被ばく線量管理装置１は、病院情報システム３０および放射線情報システム３２から放射性医薬品の処方データを受け付けて、あるいは、投与装置３１から放射性医薬品の実投与量のデータを受け付けて患者の被ばく線量を計算して管理する。放射性医薬品の種類には、放射性医薬品に予め設定したＩＤを用いてもよいし、放射性医薬品の一般名または商品名を用いてもよい。なお、本実施の形態では、処方データを病院情報システム３０、放射線情報システム３２から取得する例を挙げたが、処方データは、放射性医薬品メーカーが提供するＷｅｂオーダーシステムから入手してもよい。Ｗｅｂオーダーシステムも「処方管理システム」に該当する。
【００２８】
被ばく線量管理装置１は、入力部１０と、通信部１１と、処方データ受付部１２と、投与時刻受付部１３と、実投与量計算部１４と、実投与量受付部１５と、被ばく線量計算部１６と、患者の被ばく線量のデータを記憶する患者データベース（以下、「患者ＤＢ」という）２２を有している。入力部１０は、ユーザからの入力を受け付ける機能を有する。入力部１０は、処方データの入力を受け付けることもできる。通信部１１は、病院情報システム３０、投与装置３１および放射線情報システム３２と通信する機能を有する。
【００２９】
処方データ受付部１２は、入力部１０または通信部１１を通じて入力された処方データを受け付ける機能を有する。投与時刻受付部１３は、入力部１０または通信部１１を通じて入力された投与時刻のデータを受け付ける機能を有する。
【００３０】
実投与量計算部１４は、処方データと投与時刻のデータとから放射性医薬品の実投与量を計算する機能を有する。放射性医薬品は、放射性崩壊をするため、時間の経過とともに放射能が低減する。実投与量計算部１４は、放射性医薬品のデータを記憶した医薬品データベース（以下、「医薬品ＤＢ」という）２０と接続されている。医薬品ＤＢ２０には、放射性医薬品の半減期のデータが記憶されている。半減期は、放射性医薬品の放射能が半分に減るまでの時間である。実投与量計算部１４は、検定時刻と投与時刻とに基づいて、放射性医薬品の種類に応じた処方量のデータおよび半減期から、投与時刻における放射性医薬品の放射能量を求めることにより、放射性医薬品の実投与量を計算する。
【００３１】
実投与量受付部１５は、放射性医薬品の実投与量のデータを受け付ける機能を有する。入力部１０または通信部１１から処方データおよび投与時刻のデータが入力されたときには、実投与量計算部１４にて計算された実投与量が入力される、入力部１０または通信部１１から放射性医薬品の実投与量のデータが入力された場合には、実投与量受付部１５は入力された実投与量のデータを受け付ける。
【００３２】
被ばく線量計算部１６は、放射性医薬品の実投与量に基づいて、放射性医薬品を投与された患者が受ける被ばく線量を計算する。被ばく線量計算部１６は、実効線量データベース（以下、「実効線量ＤＢ」という）２１と接続されている。
【００３３】
図２は、実効線量ＤＢ２１に記憶されたデータの例を示す図である。実効線量ＤＢ２１には、放射性医薬品の一般名と、商品名と、実効線量のデータとが記憶されている。実効線量ＤＢ２１の記憶されるデータとしては、国際放射線防護委員会（ＩＣＲＰ）が勧告した実効線量のデータを用いることができる。実効線量ＤＢ２１には、ＩＣＲＰ勧告と同様に、核種のデータや、臓器別の吸収線量（ｍＧｙ／ＭＢｑ）のデータを記憶してもよい。
【００３４】
被ばく線量計算部１６は、実効線量ＤＢ２１から計算対象の放射性医薬品の実効線量のデータを読み出し、読み出した実効線量と実投与量計算部１４で計算した実投与量とに基づいて、患者の被ばく線量を計算する。被ばく線量計算部１６は、後述する出力部１７に計算結果を出力する。また、計算により求めた患者の被ばく線量のデータは患者ＤＢ２２に記憶してもよい。患者の被ばく線量データを患者ＤＢ２２に蓄積していくことにより、すなわち、今回の被ばく線量データを前回までの被ばく線量データに加算していくことにより、患者の被ばく線量の総量を管理することができる。
【００３５】
出力部１７は、被ばく線量計算部１６が計算した計算結果や患者ＤＢ２２に記憶されている患者の被ばく線量データを出力する機能を有する。出力部１７は、例えば、所定の患者の被ばく線量のデータをモニタ上に表示してもよい。この際、被ばく線量の履歴を時系列に表示してもよい。また、出力部１７は、患者の被ばく線量のデータを病院情報システム３０や放射線情報システム３２等の他のシステムに対して出力してもよい。これにより、他のシステムでも患者の被ばく線量を管理でき、どのような検査を行うか計画を立てることができる。
【００３６】
図３は、第１の実施の形態の被ばく線量管理装置１の動作を示す図である。被ばく線量管理装置１は、放射性医薬品の種類、処方量、および検定時刻を含む処方データと、投与時刻のデータとを受け付ける（Ｓ１０）。被ばく線量管理装置１は、病院情報システム３０や放射線情報システム３２から処方データを受信して受け付けてもよいし、入力部１０からの入力を受け付けてもよい。
【００３７】
被ばく線量管理装置１は、処方データのうちの処方量および検定時刻と、投与時刻のデータとに基づいて、放射性医薬品の実投与量を計算する（Ｓ１１）。続いて、被ばく線量管理装置１は、実効線量ＤＢ２１から対象の放射性医薬品の実効線量のデータを読み出し、実効線量のデータと実投与量とに基づいて患者の被ばく線量のデータを計算する（Ｓ１２）。被ばく線量管理装置１は、被ばく線量のデータを患者ＤＢ２２に記録する（Ｓ１３）。
【００３８】
図４は、第１の実施の形態の被ばく線量管理装置１の動作を示す図であり、投与装置３１からデータを受け付けて患者の被ばく線量を管理する例である。被ばく線量管理装置１は、投与装置３１から、放射性医薬品、実投与量のデータを受け付ける（Ｓ２０）。被ばく線量管理装置１は、実効線量ＤＢ２１から対象の放射性医薬品の実効線量のデータを読み出し、実効線量のデータと実投与量とに基づいて患者の被ばく線量を計算し（Ｓ２１）、求めた被ばく線量のデータを患者ＤＢ２２に記録する（Ｓ２２）。
【００３９】
以上、本実施の形態の被ばく線量管理装置１の構成について説明したが、上記した被ばく線量管理装置１のハードウェアの例は、ＣＰＵ、ＲＡＭ、ＲＯＭ、ハードディスク、ディスプレイ、キーボード、マウス、通信インターフェース等を備えたコンピュータである。上記した各機能を実現するモジュールを有するプログラムをＲＡＭまたはＲＯＭに格納しておき、ＣＰＵによって当該プログラムを実行することによって、上記した被ばく線量管理装置１が実現される。このようなプログラムも本発明の範囲に含まれる。
【００４０】
本実施の形態の被ばく線量管理装置１は、患者に実投与した放射線医薬品の量に基づいて被ばく線量を計算するので、患者の体格等に左右されることなく、被ばく線量を精度良く求めることができる。また、投与時刻と検定時刻とに基づいて求めた実投与量に基づいて、精度良く被ばく線量を求めることができる。
【００４１】
また、投与装置３１から、放射性医薬品の実投与量のデータを受信して被ばく線量を計算する場合には、撮像時に使った放射性医薬品の量に基づくデータを使うので、より正確に被ばく線量を求めることができる。
【００４２】
（第２の実施の形態）
図５は、第２の実施の形態の被ばく線量管理装置２の構成を示す図である。第２の実施の形態の被ばく線量管理装置２の基本的な構成は、第１の実施の形態の被ばく線量管理装置１と同じであるが、第２の実施の形態の被ばく線量管理装置２は、ＳＰＥＣＴ、ＰＥＴ検査を行ったときの患者の負荷状態にも基づいて被ばく線量を求める点が異なる。軽い運動をさせる等の負荷をかけた状態の患者に放射性医薬品を投与すると、安静状態の患者に放射性薬品を投与した場合に比べて、被ばく線量が小さくなる。これは、負荷状態においては血流が活発になり、放射性医薬品が早期に体外に排出されるためである。
【００４３】
図６は、第２の実施の形態の実効線量ＤＢ２１に記憶されたデータの例を示す図である。実効線量ＤＢ２１には、放射線医薬品の一般名と、商品名と、負荷状態と、実効線量のデータとが記憶されている。実効線量としては、安静時／負荷時のいずれの負荷状態であったかに応じて、それに対応する実効線量のデータが記憶されている。
【００４４】
図７は、第２の実施の形態の被ばく線量管理装置２の動作を示す図である。被ばく線量管理装置２は、放射性医薬品、処方量、検定時刻、および負荷状態を含む処方データと、投与時刻のデータとを受け付ける（Ｓ３０）。被ばく線量管理装置２は、病院情報システム３０や放射線情報システム３２から処方データを受信して受け付けてもよいし、入力部１０からの入力を受け付けてもよい。被ばく線量管理装置２は、処方データの処方量、検定時刻、投与時刻のデータに基づいて、放射性医薬品の実投与量を計算する（Ｓ３１）。続いて、被ばく線量管理装置２は、実効線量ＤＢ２１から対象の放射性医薬品の実効線量のデータを読み出し、実効線量のデータと実投与量と負荷状態とに基づいて患者の被ばく線量のデータを計算する（Ｓ３２）。被ばく線量管理装置２は、被ばく線量のデータを患者ＤＢ２２に記録する（Ｓ３３）。
【００４５】
図７では、被ばく線量管理装置２が処方データを受け付けた場合の動作について説明したが、被ばく線量管理装置２が、投与装置３１から、放射性医薬品、実投与量および負荷状態のデータを受け付けた場合の動作については、図４で示した動作と基本的に同じである。第２の実施の形態では、実投与量に加えて、患者の負荷状態にも基づいて実効線量ＤＢ２１から実効線量のデータを読み出して、患者の被ばく線量を計算する。
【００４６】
第２の実施の形態の被ばく線量管理装置２は、放射性医薬品が投与されたときの患者の負荷状態も踏まえて被ばく線量を求めるので、より精度良く、患者の被ばく線量を求めることができる。
【００４７】
以上、本発明の被ばく線量管理装置について実施の形態を挙げて詳細に説明したが、本発明は上記した実施の形態に限定されるものではない。上記した実施の形態では、放射性医薬品を用いて行うＳＰＥＣＴ、ＰＥＴの検査での被ばく量を管理する例を挙げているが、上記の患者ＤＢ２２には、ＣＴ装置やＸ線装置等による被ばく線量も合わせて管理してもよい。また、出力部１７によって、他のシステムに対して、放射性医薬品による患者の被ばく量のデータを出力することで、他のシステムでＣＴ装置やＸ線装置の被ばく線量等と共に、包括的に患者の被ばく量を管理してもよい。
【００４８】
上記した実施の形態の被ばく線量管理装置は、医療用画像管理システム（ＰＡＣＳ：Picture Archiving and Communication Systems）と接続され、ＰＡＣＳから撮像時刻のデータを受信し、受信したデータから実投与量を算出することとしてもよい。ここでは、ＰＡＣＳから撮像開始時刻のデータを受信する例を挙げているが、画像を管理する他のシステムから、撮像時刻に関するデータを受信することであればよい。撮像時刻に関するデータは、投与時刻から逆算できる撮影中の所定の時刻であれば撮像開始時刻に限定されず、撮像開始から所定の時間が経過した所定の時刻であってもよいし、撮像終了時刻であってもよい。ＰＡＣＳ以外の患者の画像の撮像時刻に関するデータを管理する撮像時刻管理システムとしては、ＳＰＥＣＴ装置またはＰＥＴ装置などの核医学画像検査装置であってもよいし、放射線科情報システムや病院情報システムであってもよい。
【００４９】
撮像時刻を使って実投与量を算出する場合には、まず、撮像時刻から放射性医薬品の投与時刻を算出する。放射性医薬品を投与してから撮像を行うまでの経過時間は、放射性医薬品の種類によって定められているので、撮像時刻のデータから投与時刻を逆算できる。撮像時に投与した放射性医薬品の情報（すなわち、放射性医薬品の種類、処方量、検定時刻、投与時刻等）は、放射線科情報システムから取得する。なお、放射性医薬品を投与してから撮像を行うまでの経過時間は、病院によって異なることがあるので、被ばく線量管理装置を利用する病院が放射性医薬品ごとの経過時間を設定することができるようにしてもよい。
【００５０】
投与時刻を求めた後は、検定時刻と投与時刻とを用いて放射性医薬品の実投与量を計算する。すなわち、放射性医薬品の種類に応じた処方量のデータおよび半減期から、投与時刻における放射性医薬品の放射能量を求めることにより、放射性医薬品の実投与量を計算する。そして、実効線量データベースを参照して、放射性医薬品の実投与量から患者の被ばく線量を計算する。
【産業上の利用可能性】
【００５１】
本発明は、患者の被ばく線量を管理する装置等として有用である。
【符号の説明】
【００５２】
１，２  被ばく線量管理装置
１０  入力部
１１  通信部
１２  処方データ受付部
１３  投与時刻受付部
１４  実投与量計算部
１５  実投与量受付部
１６  被ばく線量計算部
１７  出力部
２０  医薬品ＤＢ
２１  実効線量ＤＢ
２２  患者ＤＢ
３０  病院情報システム
３１  投与装置
３２  放射線情報システム
４０  ネットワーク
【図１】
2020035412.tif 000003
【図２】
2020035412.tif 000004
【図３】
2020035412.tif 000005
【図４】
2020035412.tif 000006
【図５】
2020035412.tif 000007
【図６】
2020035412.tif 000008
【図７】
2020035412.tif 000009
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
放射性医薬品を投与された患者が受ける投与量あたりの実効線量を放射性医薬品の種類ごとに記憶した実効線量データベースと、
患者に投与される放射性医薬品の種類、および前記放射性医薬品の検定時刻あたりの放射能量を示す処方量を含む処方データを受け付ける処方データ受付部と、
ネットワークを通じて接続された放射性医薬品の投与装置から、前記処方データに従って前記放射性医薬品が患者に投与された投与時刻の入力を受け付ける投与時刻受付部と、
前記処方量および前記投与時刻に基づいて、放射性医薬品の患者への実投与量のデータを計算する実投与量計算部と、
前記実投与量計算部が計算した実投与量のデータを受け付ける実投与量受付部と、
前記放射性医薬品に対応する実効線量のデータを前記実効線量データベースから読み出し、前記実効線量のデータと前記実投与量のデータとに基づいて前記患者の被ばく線量を計算する被ばく線量計算部と、
を備える被ばく線量管理装置。
【請求項２】
放射性医薬品を投与された患者が受ける投与量あたりの実効線量を放射性医薬品の種類ごとに記憶した実効線量データベースと、
患者に投与される放射性医薬品の種類を含む処方データを受け付ける処方データ受付部と、
ネットワークを通じて接続された放射性医薬品の投与装置から前記実投与量のデータを受け付ける実投与量受付部と、
前記放射性医薬品に対応する実効線量のデータを前記実効線量データベースから読み出し、前記実効線量のデータと前記実投与量のデータとに基づいて前記患者の被ばく線量を計算する被ばく線量計算部と、
を備える被ばく線量管理装置。
【請求項３】
前記処方データ受付部は、ネットワークを通じて接続された処方管理システムから前記処方データの入力を受け付ける請求項２に記載の被ばく線量管理装置。
【請求項４】
放射性医薬品を投与された患者が受ける投与量あたりの実効線量を放射性医薬品の種類ごとに記憶した実効線量データベースと、
ネットワークを通じて接続された処方管理システムから、患者に投与される放射性医薬品の種類、および前記放射性医薬品の検定時刻あたりの放射能量を示す処方量を含む処方データを受け付ける処方データ受付部と、
前記処方データに従って前記放射性医薬品が患者に投与された投与時刻の入力を受け付ける投与時刻受付部と、
前記処方量および前記投与時刻に基づいて、放射性医薬品の患者への実投与量のデータを計算する実投与量計算部と、
前記実投与量計算部が計算した実投与量のデータを受け付ける実投与量受付部と、
前記放射性医薬品に対応する実効線量のデータを前記実効線量データベースから読み出し、前記実効線量のデータと前記実投与量のデータとに基づいて前記患者の被ばく線量を計算する被ばく線量計算部と、
を備え、
前記投与時刻受付部は、患者の画像の撮像時刻に関するデータを管理する撮像時刻管理システムとネットワークを通じて接続しており、前記撮像時刻管理システムから、撮像時刻に関するデータの入力を受け付け、
前記処方データに含まれる放射性医薬品の種類に基づき、予め記憶された、放射性医薬品の種類に応じて定まる投与時刻から撮像時刻までの経過時間のデータを用いて、入力された撮像時刻に関するデータから放射性医薬品の投与時刻を算出する被ばく線量管理装置。
【請求項５】
前記被ばく線量計算部にて計算された前記患者の被ばく線量のデータを出力する出力部を更に備える請求項１乃至４のいずれか一項に記載の被ばく線量管理装置。
【請求項６】
前記実効線量データベースは、安静状態および負荷状態の各々の状態において、放射性医薬品を投与された患者が受ける実効線量を状態別に記憶し、
前記処方データ受付部は、安静状態または負荷状態のいずれかの状態別に対応する処方データを受け付け、
前記実投与量受付部は、前記状態別に前記実投与量を受け付け、
前記被ばく線量計算部は、放射性医薬品の種類および患者の状態に対応する実効線量のデータを前記実効線量データベースから読み出し、前記患者の状態における被ばく線量を計算する、請求項１乃至５のいずれか一項に記載の被ばく線量管理装置。
【請求項７】
前記処方データ受付部は、複数の前記状態別に対応した処方データを受け付け、
前記被ばく線量計算部は、複数の状態における被ばく線量を計算する、請求項６に記載の被ばく線量管理装置。
【請求項８】
患者が受けた被ばく線量が前回までの被ばく線量に加算して記録する患者データベースを備える請求項１乃至７のいずれか一項に記載の被ばく線量管理装置。
【請求項９】
被ばく線量管理装置によって患者の被ばく線量を管理する方法であって、
前記被ばく線量管理装置が、患者に投与される放射性医薬品の種類、および前記放射性医薬品の検定時刻あたりの放射能量を示す処方量を含む処方データを受け付けるステップと、
前記被ばく線量管理装置が、ネットワークを通じて接続された放射性医薬品の投与装置から、前記処方データに従って前記放射性医薬品が患者に投与された投与時刻の入力を受け付けるステップと、
前記被ばく線量管理装置が、前記処方量および前記投与時刻に基づいて、放射性医薬品の患者への実投与量のデータを計算するステップと、
前記被ばく線量管理装置が、前記実投与量のデータを計算するステップにて計算した実投与量のデータを受け付けるステップと、
前記被ばく線量管理装置が、放射性医薬品を投与された患者が受ける投与量あたりの実効線量を放射性医薬品の種類ごとに記憶した実効線量データベースから前記放射性医薬品に対応する実効線量のデータを読み出し、前記実効線量のデータと前記実投与量のデータとに基づいて前記患者の被ばく線量を計算するステップと、
を備える被ばく線量管理方法。
【請求項１０】
被ばく線量管理装置によって患者の被ばく線量を管理する方法であって、
前記被ばく線量管理装置が、患者に投与される放射性医薬品の種類を含む処方データを受け付けるステップと、
前記被ばく線量管理装置が、ネットワークを通じて接続された放射性医薬品の投与装置から実投与量のデータを受け付けるステップと、
前記被ばく線量管理装置が、放射性医薬品を投与された患者が受ける投与量あたりの実効線量を放射性医薬品の種類ごとに記憶した実効線量データベースから、前記放射性医薬品に対応する実効線量のデータを読み出し、前記実効線量のデータと前記実投与量のデータとに基づいて前記患者の被ばく線量を計算するステップと、
を備える被ばく線量管理方法。
【請求項１１】
被ばく線量管理装置によって患者の被ばく線量を管理する方法であって、
前記被ばく線量管理装置が、ネットワークを通じて接続された処方管理システムから、患者に投与される放射性医薬品の種類、および前記放射性医薬品の検定時刻あたりの放射能量を示す処方量を含む処方データを受け付けるステップと、
前記被ばく線量管理装置が、前記処方データに従って前記放射性医薬品が患者に投与された投与時刻の入力を受け付けるステップと、
前記被ばく線量管理装置が、前記処方量および前記投与時刻に基づいて、放射性医薬品の患者への実投与量のデータを計算するステップと、
前記被ばく線量管理装置が、前記実投与量のデータを計算するステップにて計算した実投与量のデータを受け付けるステップと、
前記被ばく線量管理装置が、放射性医薬品を投与された患者が受ける投与量あたりの実効線量を放射性医薬品の種類ごとに記憶した実効線量データベースから、前記放射性医薬品に対応する実効線量のデータを読み出し、前記実効線量のデータと前記実投与量のデータとに基づいて前記患者の被ばく線量を計算するステップと、
を備え、
前記投与時刻の入力を受け付けるステップでは、患者の画像の撮像時刻に関するデータを管理する撮像時刻管理システムとネットワークを通じて接続しており、前記撮像時刻管理システムから、撮像時刻に関するデータの入力を受け付け、
前記処方データに含まれる放射性医薬品の種類に基づき、予め記憶された、放射性医薬品の種類に応じて定まる投与時刻から撮像時刻までの経過時間のデータを用いて、入力された撮像時刻に関するデータから放射性医薬品の投与時刻を算出する被ばく線量管理方法。
【請求項１２】
患者の被ばく線量を管理するためのプログラムであって、コンピュータに、
患者に投与される放射性医薬品の種類、および前記放射性医薬品の検定時刻あたりの放射能量を示す処方量を含む処方データを受け付けるステップと、
ネットワークを通じて接続された放射性医薬品の投与装置から、前記処方データに従って前記放射性医薬品が患者に投与された投与時刻の入力を受け付けるステップと、
前記処方量および前記投与時刻に基づいて、放射性医薬品の患者への実投与量のデータを計算するステップと、
前記実投与量のデータを計算するステップにて計算した実投与量のデータを受け付けるステップと、
放射性医薬品を投与された患者が受ける投与量あたりの実効線量を放射性医薬品の種類ごとに記憶した実効線量データベースから前記放射性医薬品に対応する実効線量のデータを読み出し、前記実効線量のデータと前記実投与量のデータとに基づいて前記患者の被ばく線量を計算するステップと、
を実行させるプログラム。
【請求項１３】
患者の被ばく線量を管理するためのプログラムであって、コンピュータに、
患者に投与される放射性医薬品の種類を含む処方データを受け付けるステップと、
ネットワークを通じて接続された放射性医薬品の投与装置から実投与量のデータを受け付けるステップと、
放射性医薬品を投与された患者が受ける投与量あたりの実効線量を放射性医薬品の種類ごとに記憶した実効線量データベースから、前記放射性医薬品に対応する実効線量のデータを読み出し、前記実効線量のデータと前記実投与量のデータとに基づいて前記患者の被ばく線量を計算するステップと、
を実行させるプログラム。
【請求項１４】
患者の被ばく線量を管理するためのプログラムであって、コンピュータに、
ネットワークを通じて接続された処方管理システムから、患者に投与される放射性医薬品の種類、および前記放射性医薬品の検定時刻あたりの放射能量を示す処方量を含む処方データを受け付けるステップと、
前記処方データに従って前記放射性医薬品が患者に投与された投与時刻の入力を受け付けるステップと、
前記処方量および前記投与時刻に基づいて、放射性医薬品の患者への実投与量のデータを計算するステップと、
前記実投与量のデータを計算するステップにて計算した実投与量のデータを受け付けるステップと、
放射性医薬品を投与された患者が受ける投与量あたりの実効線量を放射性医薬品の種類ごとに記憶した実効線量データベースから、前記放射性医薬品に対応する実効線量のデータを読み出し、前記実効線量のデータと前記実投与量のデータとに基づいて前記患者の被ばく線量を計算するステップと、
を実行させ、
前記投与時刻の入力を受け付けるステップでは、患者の画像の撮像時刻に関するデータを管理する撮像時刻管理システムとネットワークを通じて接続しており、前記撮像時刻管理システムから、撮像時刻に関するデータの入力を受け付け、
前記処方データに含まれる放射性医薬品の種類に基づき、予め記憶された、放射性医薬品の種類に応じて定まる投与時刻から撮像時刻までの経過時間のデータを用いて、入力された撮像時刻に関するデータから放射性医薬品の投与時刻を算出するプログラム。